(57)【特許請求の範囲】
【請求項１】
両側部と中間部からなる門形であって前記中間部の側部より前記両側部と同方向に延出した垂下片を有し前記両側部に埋込穴の縁部に取付ける取付手段を有する器具本体と、前記垂下片に取付けられたランプソケットと、天部を有し前記天部の偏心位置に挿通孔を有し前記挿通孔を通して前記固定具により前記中間部に１点止めされた反射板と、前記反射板が前記固定具を中心に回転するのを規制する回転止め片とを備え、前記反射板は側面に前記ランプソケットに装着されたランプを挿通できる孔を有する照明器具。
【請求項２】
前記挿通孔を前記天部で前記孔に対して周方向にずれた位置に形成し、前記回転止め片は前記垂下片の両側に折曲している請求項１記載の照明器具。
【発明の詳細な説明】
【０００１】
【発明の属する技術分野】
この発明は、ダウンライト等に適用される照明器具に関するものである。
【０００２】
【従来の技術】
第１の従来例は、図４に示すようにアングル状すなわち門形の器具本体１００に補助枠１０１を固定し、ランプソケット１０２を取付けた補助板１０３を器具本体１００の中間部に取付けている。１０４は電源線、１０５は反射板、１０６は器具本体１００の取付金具、１０７は端子台である。
【０００３】
第２の従来例は、図５に示すように門形の器具本体１００の上面にランプソケット１０２を取付けている。１０８はランプ、１０９は埋込孔、１１０は天井板である。
【０００４】
第３の従来例は、図６に示すようにランプソケット１０２を器具本体１００の側面に設け、取付ばね１０６′で天井に固定する。
【０００５】
第４の従来例は、図７に示すように器具本体１００が有天円筒状の箱状になっており、内部にランプソケット１０２を固定し、器具本体１００のねじ棒１１２に反射板１０５をつまみねじ１１１により取付けている。
【０００６】
【発明が解決しようとする課題】
第１の従来例は、器具本体１００に補助枠１０１を固定しているため、補助枠１０１の部品単価および補助枠１０１取付の際の加工費がかかるため、低価格のダウンライトを提供することが困難である。
【０００７】
第２の従来例は、補助枠をなくし、門形の器具本体１００の上面にランプソケット１０２を取付けているが、浅型のダウンライト（天井裏の高さが低くても取付けが可能なもの）を提供することが困難である。
【０００８】
第３の従来例は、取付ばね１０６′での取付けが可能なダウンライトであるが、断熱材を敷かれた天井に取付けた場合、断熱材の重みに耐えられず、天井面とダウンライトの間に隙間が生じる等の不具合が生じる恐れがある。
【０００９】
第４の従来例は、器具本体１００を箱状にしているため、器具本体１００の材料費および加工費が効果になるため、低価格のダウンライトを提供することが困難である。
【００１０】
したがって、この発明の目的は、浅型天井に対応でき、部品点数を削減でき、低価格にすることができる照明器具を提供することである。
【００１１】
【課題を解決するための手段】
請求項１記載の照明器具は、両側部と中間部からなる門形であって前記中間部の側部より前記両側部と同方向に延出した垂下片を有し前記両側部に埋込穴の縁部に取付ける取付手段を有する器具本体と、前記垂下片に取付けられたランプソケットと、天部を有し前記天部の偏心位置に挿通孔を有し前記挿通孔を通して前記固定具により前記中間部に１点止めされた反射板と、前記反射板が前記固定具を中心に回転するのを規制する回転止め片とを備え、前記反射板は側面に前記ランプソケットに装着されたランプを挿通できる孔を有するものである。
【００１２】
請求項１記載の照明器具によれば、浅型天井や断熱施工天井に対応でき、部品点数を削減でき、かつ低価格の商品を市場に提供することができる。
請求項２記載の照明器具は、請求項１において、前記挿通孔を前記天部で前記孔に対して周方向にずれた位置に形成し、前記回転止め片は前記垂下片の両側に折曲している。
【００１３】
また反射板の固定をつまみねじ１個で容易に行うことができ、しかも部品点数が削減できる。
【００１４】
【発明の実施の形態】
この発明の一実施の形態を図１から図３により説明する。すなわち、このダウンライトは、器具本体１と、ランプソケット２と、反射板４を有する。
【００１５】
器具本体１は、両側部５、５′および中間部６を有する門形であって、中間部６の側部より両側部５、５′と同方向に延出した垂下片７を有し、両側部５、５′に天井板８の埋込穴９の縁部に取付ける取付手段１０を有する。実施の形態では、平面略Ｔ字形の板金の平板の両肩部を折曲して両側部５、５′と中間部６からなる門形を形成し、Ｔ字形の脚部の中間位置を折曲して垂下片７を形成している。１１は補強リブ、１２は両側部５、５′と中間部６の各両側に折曲した補強用折曲片である。垂下片７にはランプソケット２を取付ける取付孔１４を形成している。取付手段１０は両側部５、５′の端部に外向きに折曲した係止片１５と、両側部５、５′に沿って形成したＴ字形のスリット１３と、スリット１３に摺動可能に取付けられた金具製の取付具１６からなっている。また中間部６に反射板４を固定具により１点止めするための例えばねじ棒２３を有し、反射板４が固定具を中心に回転するのを規制する回転止め機構として、垂下片７を形成するＴ字形の脚部の付根部の両側部を折曲して回転止め片１７を形成している。
【００１６】
埋込穴９は器具本体１が挿入でき、係止片１５が埋込穴９の縁部に係止する大きさに設定されている。取付具１６の先端を天井板８の裏側に当接し係止片１５との間に天井板８を挟持して器具本体１を埋込穴９の縁部に取付ける。
【００１７】
ランプソケット２は、垂下片７の取付孔１４に挿通して取付手段により取付けられている。ランプソケット２の後端部に設けた速結端子２２に、天井裏の電源線１８を埋込穴９より引き出して速結接続している。
【００１８】
反射板４は例えばアルミニウム製の円筒形であり、埋込穴９の縁部を被覆するつば４ａを開口部の外周縁に形成している。この反射板４は側面にランプソケット２に対向しランプソケット２に装着するランプ１９を挿通できる孔４ｂを有する。図２に示すように、反射板４の天部の偏心位置の孔４ｂに対して周方向にずれた位置にねじ挿通孔４ｃを形成し、器具本体１の脚部の付根側の幅方向の一方の回転止め片１７に近い位置に垂下したねじ棒２３にねじ挿通孔４ｃを挿通し、固定具として例えばつまみねじ２０をねじ棒２３にねじ込んで反射板４を器具本体１に取付け、このとき反射板４の外周面が回転止め片１７で回転止めされる。すなわち反射板４の外径を器具本体１の回転止め片１７で形成される内径とほぼ同一にしている。
【００１９】
ランプ１９は片口金ランプ例えば電球形蛍光灯である。２１は埋込穴９の縁部に設けた補強材である。
【００２０】
実施の形態によれば、垂下片７にランプソケット２を取付けることにより浅型天井や断熱施工天井に対応でき、例えばダウンライトの部品点数を削減でき、低価格の商品を市場に提供することができる。
【００２１】
また反射板４を器具本体１に固定する際に、つまみねじ２０の１個での固定を達成しようとすると、アングル状の器具本体１では、反射板４を固定した後に、反射板４が回転してしまう。また回転止め機構を設ける場合に別部品を使用すると、部品点数が多くなり、コストが高くなる。これに対して上記実施の形態では回転止め機構として回転止め片１７を折曲しているため、部品点数が増加しない。
【００２２】
なお、この照明器具は、壁埋め込み型に適用可能である。
【００２３】
【発明の効果】
請求項１記載の照明器具によれば、浅型天井や断熱施工天井に対応でき、部品点数を削減でき、かつ低価格の商品を市場に提供することができる。また反射板の固定をつまみねじ１個で容易に行うことができ、しかも部品点数が削減できる。
【図面の簡単な説明】
【図１】この発明の第１の実施の形態の分解斜視図である。
【図２】（ａ）は平面図、（ｂ）は部分拡大図である。
【図３】側面図である。
【図４】第１の従来例の分解斜視図である。
【図５】第２の従来例の半断面側面図である。
【図６】第３の従来例の斜視図である。
【図７】第４の従来例の分解斜視図である。
【符号の説明】
１    器具本体
２    ランプソケット
４    反射板
５、５′    両側部
６    中間部
７    垂下片
８    天井板
９    埋込穴
１０    取付手段
１７    回転止め片
２０    つまみねじ
２３    ねじ棒
【図１】
0003712935.tif 000002
【図２】
0003712935.tif 000003
【図３】
0003712935.tif 000004
【図４】
0003712935.tif 000005
【図５】
0003712935.tif 000006
【図６】
0003712935.tif 000007
【図７】
0003712935.tif 000008